(57)【要約】【課題】  胡桃割りの前処理（一日水に浸した後で加熱し胡桃の殻の合わせ目に隙間を作る）を省いて、現在一般に使用されている胡桃割り器では、胡桃を割ると、胡桃の殻と種子ともに細かく砕けてしまう、また挟持杆（ペンチ型）方式では、胡桃割り器を手に持った不安定な状態で胡桃割り作業を行っている、卓上型で箱型の胡桃割り器では、作業の安定性は確保できるが、胡桃を押し潰す構造であるため胡桃が砕ける等の問題があった。【解決手段】  卓上型の胡桃割り器で、円形刃軸を芯として回転可能な円形刃と２個のローラー軸を芯として、回転可能な２個のローラーを有する押圧ユニットと、押圧ユニットを移動させる押圧ネジ棒ノブと一体となった押圧ネジ棒と、押圧ネジ棒を支えるネジ孔を有する押圧ネジ棒支持部と、胡桃を押圧ユニットで押圧時押圧ユニットの上下左右のブレを減少させる押圧ユニット移動案内レールと胡桃割り器本体を安定させる脚部との構成により効率よく安定して胡桃を２分割できるものである。【選択図】図１
2020130969.tif 000002
【特許請求の範囲】
【請求項１】
円形刃軸を芯として回転可能な円形刃と、２個のローラー軸を芯としてこのローラー軸に軸支された回転可能な２個のローラーを有する押圧ユニットと、この押圧ユニットを水平方向へ移動可能とする押圧ネジ棒ノブに一体形成された押圧ネジ棒と、この押圧ネジ棒を支えるネジ孔を有する支持部と、胡桃を前記円形刃に当接した状態で前記押圧ユニットによる押圧する際に前記押圧ユニットの上下左右のブレを減少させる案内レールとから、構成されることを特徴とする胡桃割り器。
【請求項２】
卓上設置を可能とする脚部を有することを特徴とする請求項１に記載の胡桃割り器。
【発明の詳細な説明】
【技術分野】
【０００１】本発明は、胡桃を潰さずに割るための胡桃割り器に関するものである。
【背景技術】
【０００２】従来から実施されている胡桃割り方法では、前準備として胡桃を一日水に浸してから胡桃を加熱（煎る・網様なものを使用し直火で）して胡桃の殻の合わせ目に隙間をつくり、包丁などの刃物を挿し込む、または先の平たく尖ったものを挿し込み抉るなどで胡桃を割っていた、改良型として下記特許文献が知られている。
【先行技術文献】
【特許文献】
【０００３】
【特許文献１】特開昭５３−６４７４号公報
【特許文献２】実用新案登録第３１８４４１８号公報
【特許文献３】実開平０５−６０４３６号公報
【特許文献４】実全平０３−３９４９号公報
【発明の概要】
【発明が解決しようとする課題】
【０００４】先行技術文献［０００３］で紹介されている方法
特開昭  ５３−６４７４号公報
実開平  ０５−６０４３６号公報
実全平  ０３−３９４９号公報
以上の３件は基本的に挟持杆（ペンチ型）方式である
挟持杆方式では前処理していない胡桃を割ると、胡桃の殻・種子が破砕され細かくなった殻・種子が飛散する、また胡桃を割るには挟持杆の握り部でかなりの力が必要で一気に力を加えないと割る事が出来ない、さらに挟持杆式胡桃割り器を手で持ったままで作業する不安定な状態になっている。【０００５】先行技術文献［０００３］で紹介されている方法
実用新案登録  第３１８４４１８号公報
この方法は箱型でネジ棒と押圧部および胡桃の受け部等から構成されている、この方式は胡桃の殻が柔らかい西洋胡桃（かし胡桃など）に有効と思われるが、殻の堅い和胡桃（鬼胡桃など）には向いていない、また基本的には胡桃をきれいに割るのではなく、押し潰すに近い方式と思われる、さらに箱型のため胡桃を１個ごと入れ替える必要があり狭い枠内では、割った胡桃とこれから割る胡桃の入れ替えに難点があり作業に時間を要する。
【課題を解決するための手段】
【０００６】本発明は、円形刃軸を芯として回転可能な円形刃と、２個のローラー軸を芯としてこのローラー軸に軸支された回転可能な２個のローラーを有する押圧ユニットと、この押圧ユニットを水平方向へ移動可能とする押圧ネジ棒ノブに一体形成された押圧ネジ棒と、この押圧ネジ棒を支えるネジ孔を有する支持部と、胡桃を前記円形刃に当接した状態で前記押圧ユニットによる押圧する際に前記押圧ユニットの上下左右のブレを減少させる案内レールとから、構成されることを特徴とする胡桃割り器である。【０００７】また、上記胡桃割り器において、卓上設置を可能とする脚部を有するものである。
【発明の効果】
【０００８】本発明は、卓上型胡桃割り器で作業が安定し割れた胡桃と割る胡桃の取替えが簡単に出来る。
【図面の簡単な説明】
【０００９】
【図１】  本発明の一実施例の全体を示す斜視図である。
【図２】  同上の側面図である。
【図３】  胡桃の説明図である。
【図４】  本発明の他の実施例を示す斜視図である。
【発明を実施するための形態】
【００１０】本発明は、円形刃軸９を芯として回転可能な円形刃８と、２個のローラー軸４を芯としてこのローラー軸に軸支された回転可能な２個のローラー３を有する押圧ユニッ２と、この押圧ユニット２を水平方向へ移動可能とする押圧ネジ棒ノブ６に一体形成された押圧ネジ棒５と、この押圧ネジ棒５を支えるネジ孔を有する支持部７と、胡桃を前記円形刃８に当接した状態で前記押圧ユニットによる押圧する際に前記押圧ユニット２の上下左右のブレを減少させる案内レール１０とから、構成されることを特徴とする胡桃割り器である。
【００１１】また、上記胡桃割り器において、卓上設置を可能とする脚部１１を有するものである。
【実施例】
【００１２】以下、本発明の一実施例を図１〜４に基づいて説明する。【００１３】挟持杆（ペンチ型）方式では、胡桃の殻の合わせ目に胡桃割り器の刃を当て握持部（柄）に力を加えて胡桃を割るが、すべての作業が手に持った不安定な状態で実施されている、よって安定した作業とするために胡桃割り器本体１に脚部１１を設け卓上型とした。【００１４】胡桃割り器の刃として、胡桃の殻の合わせ目（窪み）に合わせ易い円形刃８を使用した、直刃では胡桃の殻の合わせ目（窪み）が曲がっているもの（ｉ）には正確に刃を合わせることは難しい、円形刃８では、胡桃の殻の合わせ目（窪み）が曲がっていても、接触面が点となるため正確に合わせることが出来る。【００１５】胡桃を設置し易くするため一時的に胡桃を置く面（案内レール１０と一体）を設けた、さらに割った胡桃とこれから割る胡桃の入れ替えが、胡桃割り器の上部および胡桃の横方向ともに障害物がない事で簡単に行える。【００１６】胡桃を設置する際円形刃８の対抗側は押圧ユニット２の２個のローラー３で受ける、２個のローラー３は少し間隔が開いている（ｅ）ため、押圧時丸みのある胡桃は上下に動き２個のローラー３に当たる位置まで自動的に移動し安定する、左右の位置は手で支え多少移動することで押圧に最適な位置に合わせることが出来る。【００１７】胡桃を割るための力を確実にそして徐々に押圧出来るよう押圧ユニット２と押圧ネジ棒ノブ６と一体となった押圧ネジ棒５を使用したことにより、微妙な力加減が可能で胡桃に急激な力が掛からない、本胡桃割り器で胡桃の殻の合わせ目に刃先を当てた円形刃８と、押圧ユニット２の２個のローラー３で挟んだ胡桃を、押圧ネジ棒ノブ６を回すことにより、胡桃が押され円形刃８が胡桃の殻の合わせ目を押し広げ胡桃は２分割される（ｆ）（ｇ）。【００１８】押圧時に力の方向が分散せずに胡桃に掛かるよう、案内レール１０を設けた、押圧ユニット２には案内レール１０に相対した溝を設けた事により、押圧時の力の上下・左右への分散を抑えて効率が良くなる。【００１９】前記［００１７］ではすべての胡桃が２分割するとは限らない、円形刃８が喰い込んでも殻の合わせ目を押し広げるだけで、分割しないこともある、そこで隙間拡幅用具１３の先端を、開いた胡桃の殻の合わせ目に（図２の（ｃ）胡桃部分の拡大図）挿し込み抉ることで分割する。【００２０】胡桃を割るための前準備（胡桃を水に浸す・胡桃を加熱する）が不要。【００２１】割った胡桃は２分割となるため、殻の飛散や種子が細かく破砕される事がなく後片付けも簡単。【００２２】胡桃の形状図（ｍ）の胡桃は殻の合わせ目部分が尖って窪みがほとんどないので、円形刃８の刃先を殻の合わせ目部分の窪みには合わせることが出来ない、このような形状の胡桃は横向きに（図２の（ｄ））して割るが、胡桃の底部の突起部分（図３の（ｏ）拡大図（ｐ））を隙間拡幅用具１３または紙ヤスリで平らに削り、円形刃８を殻の合わせ目に合わせて胡桃割りを行う。【００２３】基本は図１の胡桃割り器であるが、卓上型であるため卓上面を保護するゴムシート１２を利用する案として（ｑ）（ｒ）（ｓ）を記載した、（ｓ）は胡桃割り器の製作上の簡易性で、胡桃割り器本体取付け架台１５と胡桃割り器本体取付けボルト・ナット１６と胡桃割り器本体取付け金具１７とで組立て式として考えた胡桃割り器である、（ｔ）は、隙間拡幅用具１３を隙間拡幅用具格納冶具１４に格納して、胡桃割り器本体に取り付けた利便性を考慮した胡桃割り器である。
【符号の説明】
【００２４】１      胡桃割り器本体
２      押圧ユニット
３      ローラー
４      ローラー軸
５      押圧ネジ棒
６      押圧ネジ棒ノブ
７      支持部
８      円形刃
９      円形刃軸
１０    案内レール
１１    脚部
１２    ゴムシート
１３    隙間拡幅用具
１４    隙間拡幅用具格納冶具
１５    胡桃割り器本体取付け架台
１６    胡桃割り器本体取付けボルト・ナット
１７    胡桃割り器本体取付け金具
【図１】
2020130969.tif 000003
【図２】
2020130969.tif 000004
【図３】
2020130969.tif 000005
【図４】
2020130969.tif 000006